(57)【要約】【課題】背面板を取り外すことなく箱体の背面側を開放し、保守点検時の作業性を向上させる。【解決手段】床板２、側面板３、天井板４、背面部材１０ａ、１０ｂ、正面扉で箱体１が構成される金属閉鎖形スイッチギヤであって、箱体１の背面側の両側に床板２から天井板４まで延びた第１のレール１２ａと所定の間隔を保って固定された第２のレール１２ｂとで構成される溝状の一対のレール１２を設け、この一対のレール１２内に背面部材１０ａ、１０ｂの両側辺を嵌め込み、移動自在としたことを特徴とする。【選択図】  図１
2012075239.tif 000002
【特許請求の範囲】
【請求項１】
床板、側面板、天井板、背面部材、正面扉で箱体が構成される金属閉鎖形スイッチギヤであって、
前記箱体の背面側の両側に前記床板から前記天井板まで延びた一対のレールを設け、
この一対のレール内に前記背面部材の両側辺を嵌め込み、移動自在としたことを特徴とする金属閉鎖形スイッチギヤ。
【請求項２】
前記一対のレールの中間部に中間板を設け、前記背面部材を前記天井板側と前記床板側とに二分割したことを特徴とする請求項１に記載の金属閉鎖形スイッチギヤ。
【請求項３】
前記背面部材は、板状の背面板であることを特徴とする請求項１または請求項２に記載の金属閉鎖形スイッチギヤ。
【請求項４】
前記背面部材をシャッターとし、巻き取り部を前記天井板側と前記中間板側に固定したことを特徴とする請求項１または請求項２に記載の金属閉鎖形スイッチギヤ。
【請求項５】
前記背面部材をシャッターとし、巻き取り部を前記天井板側と前記床板側に固定したことを特徴とする請求項１または請求項２に記載の金属閉鎖形スイッチギヤ。
【請求項６】
前記箱体の背面側を前記背面部材で閉じ、この背面部材を固定部材で固定することを特徴とする請求項１乃至請求項５のいずれか１項に記載の金属閉鎖形スイッチギヤ。
【発明の詳細な説明】
【技術分野】
【０００１】
本発明の実施形態は、保守点検時の作業性を向上し得る金属閉鎖形スイッチギヤに関する。
【背景技術】
【０００２】
金属閉鎖形スイッチギヤは、図７に示すように、遮断器などの収納機器を箱体１内に収納し、電力系統の制御、保護を行うようになっている。箱体１は、床板２、両側の側面板３、天井板４、上下に二分割された背面板５ａ、５ｂ、図示しない正面扉で構成されている。背面板５ａ、５ｂには、それぞれ把手６ａ、６ｂが取り付けられ持ち運び自在である。また、複数のボルト７ａ、７ｂによって固定されている（例えば、特許文献１参照。）。
【先行技術文献】
【特許文献】
【０００３】
【特許文献１】特開２００８−２８３７３４号公報
【発明の概要】
【発明が解決しようとする課題】
【０００４】
上記の従来の金属閉鎖形スイッチギヤにおいては、次のような問題があった。収納機器の保守点検時やケーブル接続作業時には、背面板５ａ、５ｂを取り外し、箱体１の背面側を開放している。取り外した背面板５ａ、５ｂは、電気室の所定の保管エリアに仮置きされる。このため、電気室に保管エリアを確保しなければならず、また、背面板５ａ、５ｂを保管エリアまで運搬しなければならなかった。
【０００５】
本発明は上記問題を解決するためになされたもので、背面板を取り外すことなく背面側を開放し、作業性を向上させることのできる金属閉鎖形スイッチギヤを提供することを目的とする。
【課題を解決するための手段】
【０００６】
上記目的を達成するために、実施形態の金属閉鎖形スイッチギヤは、床板、側面板、天井板、背面部材、正面扉で箱体が構成される金属閉鎖形スイッチギヤであって、前記箱体の背面側の両側に前記床板から前記天井板まで延びた一対のレールを設け、この一対のレール内に前記背面部材の両側辺を嵌め込み、移動自在としたことを特徴とする。
【図面の簡単な説明】
【０００７】
【図１】本発明の実施例１に係る金属閉鎖形スイッチギヤの箱体の構成を示す図。
【図２】本発明の実施例１に係る金属閉鎖形スイッチギヤの作業手順を説明する要部断面図。
【図３】本発明の実施例１に係る金属閉鎖形スイッチギヤの作業手順を説明する要部断面図。
【図４】本発明の実施例２に係る金属閉鎖形スイッチギヤの箱体の構成を示す要部断面図。
【図５】本発明の実施例３に係る金属閉鎖形スイッチギヤの箱体の構成を示す要部断面図。
【図６】本発明の実施例３に係る金属閉鎖形スイッチギヤの箱体の構成を示す要部断面図。
【図７】従来の金属閉鎖形スイッチギヤの箱体の構成を示す斜視図。
【発明を実施するための形態】
【０００８】
以下、図面を参照して本発明の実施例を説明する。
【実施例１】
【０００９】
先ず、本発明の実施例１に係る金属閉鎖形スイッチギヤを図１〜図３を参照して説明する。図１は、本発明の実施例１に係る金属閉鎖形スイッチギヤの箱体の構成を示す図、図２、図３は、本発明の実施例１に係る金属閉鎖形スイッチギヤの作業手順を説明する要部断面図である。なお、各図において、従来と同様の構成部分については、同一符号を付した。
【００１０】
斜視した図１（ａ）に示すように、遮断器などの収納機器を収納する箱体１は、鋼板からなる板状の床板２、両側の側面板３、天井板４、上下に二分割された背面板１０ａ、１０ｂ、図示しない正面扉で構成されている。背面板１０ａ、１０ｂの中央部には、それぞれ窪んだ引掛け部１１ａ、１１ｂが設けられている。
【００１１】
背面板１０ａ、１０ｂは、断面した図１（ｂ）に示すように、幅方向の両側にそれぞれ設けられた鋼板や絶縁物などからなる一対のレール１２内を移動できるようになっている。レール１２は、床板２から天井板４まで延びた第１のレール板１２ａと所定の間隔を保って箱体１の内側に固定された第２のレール板１２ｂで構成されている。即ち、レール１２は溝状となっており、この溝内に背面板１０ａ、１０ｂの両側辺が嵌め込まれ、移動自在となっている。
【００１２】
レール１２内の上下方向の中間部には、断面Ｌ字状の中間板１３が設けられている。また、レール１２の溝幅よりも中間板１３の高さが低く、中間板１３頂部とレール板１２ａの隙間を背面板１０ａ（１０ｂ）の一枚が移動できるようになっている。
【００１３】
次に、保守点検時の作業手順を図２を参照して説明する。
【００１４】
図２（ａ）は、背面板１０ａ、１０ｂで背面側を閉じている状態である。そして、上部を開放する場合には、図２（ｂ）に示すように、背面板１０ａの引掛け部１１ａを持ち、背面板１０ａを箱体１外の方向に水平移動させる。次に、図２（ｃ）に示すように、中間板１３のＬ字部を乗り越え、背面板１０ａを下方向に移動すれば、上部を開放させることができる。なお、背面板１０ａの移動に、例えば着脱自在の永久磁石を固定した吸着治具などを用いれば、移動を容易にすることができる。
【００１５】
図２（ａ）の閉じている状態において、背面板１０ａの複数個所を、図示しない複数のボルトやパドロックなどで固定すると、強固に固定でき、内部圧力上昇に耐え得るものとすることができる。ボルトやパドロックを、背面板１０ａを固定する固定部材と定義する。
【００１６】
下部を開放する場合には、図３（ａ）の閉じている状態から、図３（ｂ）に示すように、背面板１０ｂを箱体１外の方向に水平移動させる。次に、図３（ｃ）に示すように、背面板１０ｂを上方向に移動させ、中間板１３に載せれば、下部を開放することができる。なお、背面板１０ａ、１０ｂをボルトで箱体１側に固定すると落下防止ができる。
【００１７】
ここで、背面板１０ａ、１０ｂを、箱体１の背面側に設けられた背面部材と定義する。
【００１８】
上記実施例１の金属閉鎖形スイッチギヤによれば、箱体１背面の両側に一対のレール１２を取付け、このレール１２内を移動自在に移動する背面板１０ａ、１０ｂを設けているので、背面板１０ａ、１０ｂを取り外すことなく、箱体１の上部または下部を開放することができ、作業性を向上させることができる。
【００１９】
上記実施例１では、背面板１０ａ、１０ｂを天井側と床側に二分割して説明したが、箱体１外の天井側や床側にスペースがある場合、背面板を一枚ものとし、上下方向に移動させることができる。
【実施例２】
【００２０】
次に、本発明の実施例２に係る金属閉鎖形スイッチギヤを図４を参照して説明する。図４は、本発明の実施例２に係る金属閉鎖形スイッチギヤの箱体の構成を示す要部断面図である。なお、この実施例２が実施例１と異なる点は、背面部材をシャッターとしたことである。図４において、実施例１と同様の構成部分においては、同一符号を付し、その詳細な説明を省略する。
【００２１】
図４に示すように、レール１２内には、天井板４から中間板１３までと、中間板１３から床板２までの上下方向に移動自在のシャッター１４ａ、１４ｂを設けている。巻き取り部１４ａ１、１４ｂ１は、上部では天井板４側、下部では中間板１３側としている。なお、シャッター１４ａ、１４ｂを、図示しない固定部材の複数のボルトで締付け固定すると強固に固定することができる。
【００２２】
ここで、シャッター１４ａ、１４ｂを、箱体１の背面側に設けられた背面部材と定義する。
【００２３】
上記実施例２の金属閉鎖形スイッチギヤによれば、実施例１と同様の効果を得ることができる。
【実施例３】
【００２４】
次に、本発明の実施例３に係る金属閉鎖形スイッチギヤを図５、図６を参照して説明する。図５、図６は、本発明の実施例３に係る金属閉鎖形スイッチギヤの箱体の構成を示す要部断面図である。なお、この実施例３が実施例２と異なる点は、シャッターの取付け位置である。図５、図６において、実施例２と同様の構成部分においては、同一符号を付し、その詳細な説明を省略する。
【００２５】
図５に示すように、シャッター１４ａ、１４ｂの巻き取り部１４ａ１、１４ｂ１を天井板４側と床板２側に設け、互いのシャッター１４ａ、１４ｂを中間板１３まで移動させている。
【００２６】
また、図６に示すように、シャッター１５の巻き取り部１５ａを天井板４側に設け、床板２まで移動するものとしている。
【００２７】
上記実施例３の金属閉鎖形スイッチギヤによれば、実施例２と同様の効果を得ることができる。
【００２８】
以上述べたような実施形態は、箱体を構成する背面側の背面部材を、一対のレールを設けて上下方向に移動自在なものとしているので、背面部材を取り外すことなく背面側を開放することができ、保守点検時やケーブル接続時などの作業性を向上させることができる。
【００２９】
以上において幾つかの実施形態を述べたが、これらの実施形態は、単に例として示したもので、本発明の範囲を限定することを意図したものではない。実際、ここにおいて述べた新規な装置は、種々の他の形態に具体化されてもよいし、さらに、本発明の主旨またはスピリットから逸脱することなく、ここにおいて述べた装置の形態における種々の省略、置き換えおよび変更を行ってもよい。付随する請求項およびそれらの均等物は、本発明の範囲および主旨またはスピリットに入るようにそのような形態若しくは変形を含むことを意図している。
【符号の説明】
【００３０】
１  箱体
２  床板
３  側面板
４  天井板
５ａ、５ｂ、１０ａ、１０ｂ  背面板
６ａ、６ｂ  把手
７ａ、７ｂ  ボルト
１１ａ、１１ｂ  引掛け部
１２  レール
１２ａ  第１のレール板
１２ｂ  第２のレール板
１３  中間板
１４ａ、１４ｂ、１５  シャッター
１４ａ１、１４ｂ１、１５ａ  巻き取り部
【図１】
2012075239.tif 000003
【図２】
2012075239.tif 000004
【図３】
2012075239.tif 000005
【図４】
2012075239.tif 000006
【図５】
2012075239.tif 000007
【図６】
2012075239.tif 000008
【図７】
2012075239.tif 000009